(57)【要約】【課題】操作レバーの操作性を向上させるとともに、糸絡み等の発生を低減できる操作レバーを有する両軸受リールを提供する。【解決手段】両軸受リールは、リール本体と、スプールと、スプール軸と、ワンウェイクラッチ５と、操作レバー６とを備える。ワンウェイクラッチ５は、スプール軸に取り付けられる。ワンウェイクラッチ５は、外輪及び転動体を有する。外輪は、リール本体２に対して回転可能である。転動体は、スプール軸４の糸繰り出し方向の回転を外輪に伝達する。操作レバー６は、リール本体２に取り付けられている。操作レバー６は、扁平状であって、径方向に延びている。【選択図】図３
2020054397.tif 000002
【特許請求の範囲】
【請求項１】
リール本体と、
前記リール本体に対して回転可能なスプールと、
前記スプールと一体的に回転するスプール軸と、
前記リール本体に対して回転可能な外輪、及び前記スプール軸の糸繰り出し方向の回転を前記外輪に伝達する転動体、を有し、前記スプール軸に取り付けられるワンウェイクラッチと、
前記リール本体に取り付けられ、径方向に延びるとともに扁平状であり、前記外輪の回転を制動する制動力を調整するための操作レバーと、
を備える、両軸受リール。
【請求項２】
前記操作レバーは、
径方向に延び、幅方向において互いに間隔をあけて配置される第１及び第２延在部と、
前記第１及び第２延在部の各先端部同士を連結するように幅方向に延びる連結部と、
を有する、
請求項１に記載の両軸受リール。
【請求項３】
リール本体と、
前記リール本体に対して回転可能なスプールと、
前記スプールと一体的に回転するスプール軸と、
前記リール本体に対して回転可能な外輪、及び前記スプール軸の糸繰り出し方向の回転を前記外輪に伝達する転動体、を有し、前記スプール軸に取り付けられるワンウェイクラッチと、
前記リール本体に取り付けられ、前記外輪の回転を制動する制動力を調整するための操作レバーと、
を備え、
前記操作レバーは、
径方向に延び、幅方向において互いに間隔をあけて配置される第１及び第２延在部と、
前記第１及び第２延在部の各先端部同士を連結するように幅方向に延びる連結部と、を有する、
両軸受リール。
【請求項４】
前記操作レバーの径方向外側端部は、前記リール本体側に向かって凹んでいる、
請求項１から３のいずれかに記載の両軸受リール。
【請求項５】
前記操作レバーの径方向外側縁は、径方向内側に向かって凹んでいる、
請求項１から４のいずれかに記載の両軸受リール。
【請求項６】
前記操作レバーの先端側の角部は、面取りされている、
請求項１から５のいずれかに記載の両軸受リール。
【請求項７】
前記操作レバーの先端部は、前記操作レバーの基端部に対して、前記リール本体側に配置される、
請求項１から６のいずれかに記載の両軸受リール。
【請求項８】
前記操作レバーは、開口部を有する、
請求項１から７のいずれかに記載の両軸受リール。
【請求項９】
前記操作レバーは、前記リール本体側に凹む凹部を有する、
請求項１から８のいずれかに記載の両軸受リール。
【請求項１０】
前記操作レバーは、径方向外側の端部が径方向内側の端部よりも幅が小さい、
請求項１から９のいずれかに記載の両軸受リール。
【請求項１１】
前記操作レバーは、
前記リール本体に螺合し、回転によって軸方向に移動可能な円筒部と、
前記円筒部から前記径方向に延びるレバー部と、
を有する、
請求項１から１０のいずれかに記載の両軸受リール。
【請求項１２】
前記レバー部の幅方向の一方の端縁は、前記円筒部との接点から延びる、
請求項１１に記載の両軸受リール。
【請求項１３】
前記レバー部は、前記円筒部の直径と同じ寸法の幅を有する、
請求項１１又は１２に記載の両軸受リール。
【請求項１４】
前記操作レバーは、前記リール本体に揺動可能に取り付けられており、
前記操作レバーの揺動によって、前記制動力が調整される、
請求項１から１３のいずれかに記載の両軸受リール。
【請求項１５】
前記操作レバーは、前記リール本体に螺合し、軸方向において前記外輪を押圧する、
請求項１から１４のいずれかに記載の両軸受リール。
【発明の詳細な説明】
【技術分野】
【０００１】
本発明は、両軸受リールに関するものである。
【背景技術】
【０００２】
両軸受リールは、一般的に、キャスティングコントロール機構を備えている。キャスティングコントロール機構は、スプール軸に摩擦力を掛けることによってスプール軸の回転を制動する機構である。これによって、糸繰り出し時のスプール軸の回転速度を抑え、バックラッシュを防止する。また、船釣り等で、仕掛を落下させる際に、仕掛の海中での落下速度を調整するためにも、キャスティングコントロール機構は用いられている。特許文献１に記載の両軸受リールは、キャスティングコントロール機構の操作を容易にするため、操作レバーがリール本体に揺動可能に取り付けられている。この操作レバーを揺動させることによって、スプール軸に対する制動力を調整し、仕掛の落下速度を調整することができる。
【先行技術文献】
【特許文献】
【０００３】
【特許文献１】特開平９−２７５８６１号公報
【発明の概要】
【発明が解決しようとする課題】
【０００４】
上述したようなキャスティングコントロール機構は、操作レバーを用いて適切な制動力に調整した場合、釣り人にとって操作しづらい方向に操作レバーが延びた状態となってしまうことがある。例えば、操作レバーが釣竿装着側に向かう方向に延びた状態となった場合、釣り人が操作しづらいといった問題が生じる。また、釣糸が操作レバーに引っ掛かって絡んでしまうという問題が生じる。
【０００５】
本発明の課題は、操作レバーの操作性を向上させるとともに、糸絡みの発生を低減できる操作レバーを有する両軸受リールを提供することにある。
【課題を解決するための手段】
【０００６】
本発明の第１側面に係る両軸受リールは、リール本体と、スプールと、スプール軸と、ワンウェイクラッチと、操作レバーとを備えている。スプールは、リール本体に対して回転可能である。スプール軸は、スプールと一体的に回転する。ワンウェイクラッチは、外輪及び転動体を有する。外輪は、リール本体に対して回転可能である。転動体は、スプール軸の糸繰り出し方向の回転を外輪に伝達する。ワンウェイクラッチは、スプール軸に取り付けられる。操作レバーは、リール本体に取り付けられている。操作レバーは、径方向に延びるとともに扁平状である。操作レバーは、外輪の回転を制動する制動力を調整するように構成されている。
【０００７】
この構成によれば、スプール軸が糸繰り出し方向に回転すると、スプール軸の回転が転動体を介して外輪に伝達される。すなわち、スプール軸と外輪とが連動して回転する。外輪は操作レバーによって制動されているため、スプール軸も制動される。この結果、糸繰り出し時のスプール軸の回転速度が抑えられ、バックラッシュが防止される。一方、スプール軸が糸巻き取り方向に回転すると、スプール軸の回転は外輪に伝達されない。すなわち、スプール軸と外輪とは互いに連動して回転しないため、スプール軸は制動されない。このため、糸巻取り時においてスプール軸に回転抵抗が発生することを抑制することができ、スプール軸はスムーズに回転することができる。
【０００８】
また、この外輪に対する制動力を調整するための操作レバーは、径方向に延びている。このため、パーミングしながら操作レバーを操作することが可能となる。そして、操作レバーが扁平状であるため、操作レバーの操作性が向上し、また、操作レバーに釣糸が絡みにくい。
【０００９】
好ましくは、操作レバーは、第１延在部、第２延在部、及び連結部を有する。第１及び第２延在部は、径方向に延びる。また、第１及び第２延在部は、幅方向において互いに間隔をあけて配置される。連結部は、第１及び第２延在部の各先端部同士を連結するように幅方向に延びる。
【００１０】
本発明の第２側面に係る両軸受リールは、リール本体と、スプールと、スプール軸と、ワンウェイクラッチと、操作レバーとを備えている。スプールは、リール本体に対して回転可能である。スプール軸は、スプールと一体的に回転する。ワンウェイクラッチは、外輪及び転動体を有する。外輪は、リール本体に対して回転可能である。転動体は、スプール軸の糸繰り出し方向の回転を外輪に伝達する。ワンウェイクラッチは、スプール軸に取り付けられる。操作レバーは、リール本体に取り付けられる。操作レバーは、外輪の回転を制動する制動力を調整するように構成される。操作レバーは、第１延在部、第２延在部、及び連結部を有する。第１及び第２延在部は、径方向に延びる。第１及び第２延在部は、幅方向において互いに間隔をあけて配置される。連結部は、第１及び第２延在部の各先端部同士を連結するように幅方向に延びる。
【００１１】
この構成によれば、上述したものと同じ理由で、糸繰り出し時のスプール軸の回転速度が抑えられ、バックラッシュが防止される。また、糸巻取り時においてスプール軸に回転抵抗が発生することを抑制することができ、スプール軸はスムーズに回転することができる。
【００１２】
また、この外輪に対する制動力を調整するための操作レバーは、径方向に延びている。このため、パーミングしながら操作レバーを操作することが可能となる。そして、操作レバーは、幅方向に間隔をあけて配置される第１及び第２延在部を有するため、操作レバーの操作性が向上し、また、この操作レバーに釣糸が絡みにくい構成となっている。
【００１３】
好ましくは、操作レバーの径方向外側端部は、前記リール本体側に向かって凹んでいる。この構成によれば、この操作レバーの凹んだ部分に指を当てて操作レバーを操作することができる。
【００１４】
好ましくは、操作レバーの径方向外側縁は、径方向内側に向かって凹んでいる。この構成によれば、操作レバーの凹んだ部分に指を当てて操作レバーを操作することができる。
【００１５】
好ましくは、操作レバーの先端側の角部は、面取りされている。この構成によれば、操作レバーに釣糸が引っ掛かったとしても、釣糸が操作レバーからスムーズに外れることができる。
【００１６】
好ましくは、操作レバーの先端部は、操作レバーの基端部に対して、リール本体側に配置される。この構成によれば、操作レバーに釣糸が引っ掛かったとしても、釣糸が操作レバーからスムーズに外れることができる。
【００１７】
好ましくは、操作レバーは、開口部を有する。この構成によれば、操作レバーを軽量化できる。
【００１８】
操作レバーは、リール本体側に凹む凹部を有する。この構成によれば、この凹部に指を当てて操作レバーを操作することができる。
【００１９】
好ましくは、操作レバーは、径方向外側の端部が径方向内側の端部よりも幅が小さい。この構成によれば、操作レバーに釣糸が引っ掛かったとしても、釣糸が操作レバーからスムーズに外れることができる。
【００２０】
好ましくは、操作レバーは、円筒部と、レバー部とを有する。円筒部は、リール本体に螺合し、回転によって軸方向に移動可能である。レバー部は、円筒部から径方向に延びる。
【００２１】
好ましくは、レバー部の幅方向の一方の端縁は、円筒部との接点から延びる。この構成によれば、円筒部とレバー部との間の段差がなくなり、釣糸がレバー部に引っ掛かりにくくなる。
【００２２】
好ましくは、レバー部は、円筒部の直径と同じ寸法の幅を有する。
【００２３】
好ましくは、操作レバーは、リール本体に揺動可能に取り付けられている。そして、操作レバーの揺動によって、制動力が調整される。
【００２４】
好ましくは、操作レバーは、リール本体に螺合し、軸方向において外輪を押圧する。
【発明の効果】
【００２５】
本発明によれば、操作レバーの操作性が向上するとともに、糸絡みの発生が低減する。
【図面の簡単な説明】
【００２６】
【図１】両軸受リールの斜視図。
【図２】両軸受リールの断面図。
【図３】両軸受リールの分解斜視図。
【図４】両軸受リールの拡大断面図。
【図５】操作レバーの正面図。
【図６】操作レバーの側面図。
【図７】変形例に係る操作レバーの正面図。
【図８】変形例に係る操作レバーの正面図。
【図９】変形例に係る操作レバーの正面図。
【図１０】変形例に係る操作レバーの正面図。
【図１１】変形例に係る操作レバーの正面図。
【図１２】変形例に係る両軸受リールの拡大断面図。
【発明を実施するための形態】
【００２７】
以下、本発明に係る両軸受リールの実施形態について図面を参照しつつ説明する。なお、軸方向とは、スプール軸の延びる方向を意味する。また、径方向とはスプール軸を中心とした円の径方向を意味し、周方向とはスプール軸を中心とした円の周方向を意味する。
また、幅方向とは、操作リールの幅方向を意味する。
【００２８】
［両軸受リール］
図１及び図２に示すように、両軸受リール１００は、リール本体２、スプール３、スプール軸４、ワンウェイクラッチ５、及び操作レバー６を備えている。両軸受リール１００は、第１摩擦プレート７、付勢部材８、及びハンドル９をさらに備えている。
【００２９】
［リール本体］
リール本体２は、第１リール本体部２１と第２リール本体部２２とを備えている。第１リール本体部２１と第２リール本体部２２とは、軸方向に互いに間隔をあけて配置されている。第１リール本体部２１と第２リール本体部２２とは、複数の連結部２３を介して互いに連結されている。
【００３０】
第１リール本体部２１は、第１側板２１ａ及び第１カバー２１ｂを有している。第１リール本体部２１は、内部に収容空間を有している。この収容空間内に、回転伝達機構１１などが収容されている。第２リール本体部２２は、第２側板２２ａ及び第２カバー２２ｂを有している。第１側板２１ａと第２側板２２ａとは、連結部２３を介して、互いに連結されている。この第１側板２１ａと第２側板２２ａと連結部２３とは、一体的に形成されており、リール本体２のフレームを構成している。
【００３１】
図３に示すように、第１リール本体部２１は、突出部２４をさらに有する。突出部２４は、円筒状であって、軸方向外側に突出している。詳細には、突出部２４は、第１カバー２１ｂから軸方向外側に突出している。操作レバー６が、この突出部２４に取り付けられる。詳細には、突出部２４の外周面には、ネジ部が形成されている。そして、操作レバー６が、突出部２４に螺合する。突出部２４は、第１リール本体部２１の収容空間と外部とを連通している。この突出部２４内において、スプール軸４の一方の端部が回転可能に支持されている。
【００３２】
［スプール］
図２に示すように、スプール３は、第１リール本体部２１と第２リール本体部２２との間に配置されている。詳細には、スプール３は、略円筒状であって軸方向に延びている。スプール３は、リール本体２に対して回転可能である。スプール３は、スプール軸４を介してリール本体２に回転可能に支持されている。
【００３３】
［スプール軸］
スプール軸４は、スプール３と一体的に回転する。スプール軸４は、第１リール本体部２１と第２リール本体部２２とによって回転可能に支持されている。なお、スプール軸４は、第１及び第２軸受部材１２ａ、１２ｂを介して、第１リール本体部２１及び第２リール本体部２２に回転可能に支持されている。
【００３４】
［ワンウェイクラッチ］
図４に示すように、ワンウェイクラッチ５は、スプール軸４に取り付けられる。ワンウェイクラッチ５は、外輪５１、及び複数の転動体５２を有している。外輪５１は、リール本体２に対して回転可能である。詳細には、外輪５１は、突出部２４に対して回転可能である。外輪５１は、突出部２４の内周面と隙間をあけて配置される。
【００３５】
外輪５１は、軸方向において、第１摩擦プレート７と第２摩擦プレート１３とによって挟持されている。すなわち、第１及び第２摩擦プレート７，１３によって、外輪５１の回転が制動される。
【００３６】
転動体５２は、スプール軸４と外輪５１との間に配置されている。転動体５２は、スプール軸４の糸繰り出し方向の回転を外輪５１に伝達する。一方、転動体５２は、スプール軸４の糸巻き取り方向の回転を外輪５１に伝達しない。
【００３７】
［操作レバー］
図３に示すように、操作レバー６は、リール本体２に取り付けられている。操作レバー６は、扁平状であって、径方向に延びている。操作レバー６の先端側の両角部は、面取りされている。この操作レバー６の先端側の両角部は、Ｒ面取りされていてもよいし、Ｃ面取りされていてもよい。
【００３８】
操作レバー６は、リール本体２の突出部２４に螺合している。このため、操作レバー６は、リール本体２に対して揺動可能である。操作レバー６が揺動すると、操作レバー６は軸方向に移動する。
【００３９】
操作レバー６は、外輪５１の回転を制動する制動力を調整することができる。詳細には、操作レバー６を揺動させて軸方向に移動させることによって、外輪５１を押圧する力が調整でき、ひいては外輪５１に対する制動力を調整することができる。
【００４０】
図５に示すように、操作レバー６は、円筒部６１とレバー部６２とを有している。操作レバー６の長さＬは、例えば、２０〜４０ｍｍ程度である。なお、操作レバー６の長さＬとは、径方向におけるスプール軸４の回転軸からの長さである。また、操作レバー６の長さ方向は径方向と略平行に延びており、操作レバー６の幅方向は操作レバー６の長さ方向と略直交している。
【００４１】
円筒部６１は、内周面にネジ部が形成されている。円筒部６１は、突出部２４に螺合する。このため、円筒部６１は、回転することによって軸方向に移動可能である。円筒部６１の外径は、例えば、１５〜２５ｍｍ程度である。
【００４２】
レバー部６２は、円筒部６１から径方向に延びている。レバー部６２の幅Ｗは、例えば１５〜２５ｍｍ程度である。本実施形態においては、レバー部６２の幅Ｗは、円筒部６１の直径と、略同じとしている。すなわち、幅方向におけるレバー部６２の両端縁は、円筒部６１との接点から径方向に延びている。このため、軸方向視において、レバー部６２と円筒部６１との間で段差が形成されていない。
【００４３】
レバー部６２は、第１延在部６２１と第２延在部６２２と連結部６２３とを有している。第１延在部６２１と第２延在部６２２とは、幅方向において、互いに間隔をあけて配置されている。また、第１延在部６２１及び第２延在部６２２は、径方向に延びている。
【００４４】
第１延在部６２１及び第２延在部６２２は、リール本体２の形状に沿うような形状を有している。詳細には、図６に示すように、第１延在部６２１及び第２延在部６２２は、それぞれ、径方向の中央部に段差部６２４を有している。このため、第１延在部６２１及び第２延在部６２２の先端部は、基端部に対して、リール本体２側に配置されている。なお、第１延在部６２１及び第２延在部６２２の基端部とは、円筒部側の端部である。
【００４５】
図５に示すように、連結部６２３は、第１延在部６２１の先端部と第２延在部６２２の先端部とを連結する。連結部６２３は、幅方向に延びている。連結部６２３は、第１延在部６２１及び第２延在部６２２と一体的に形成されている。
【００４６】
図４に示すように、円筒部６１の内周面と突出部２４の外周面との間にシール部材６３が配置されている。このシール部材６３によって、リール本体２内部への異物の侵入を防止することができる。また、このシール部材６３によって、操作レバー６が釣り人の意に反して回転しないように操作レバー６に回転抵抗が付与される。
【００４７】
ワンウェイクラッチ５の外輪５１と操作レバー６との間に第１摩擦プレート７が配置されている。第１摩擦プレート７は、環状のプレートであって、外輪５１と接触している。なお、第１摩擦プレート７は、外輪５１と接触する一方、転動体５２とは接触していない。第１摩擦プレート７は、例えば、カーボンクロス製である。操作レバー６は、第１摩擦プレート７を介して外輪５１を軸方向に押圧している。
【００４８】
［付勢部材］
付勢部材８は、ワンウェイクラッチ５の外輪５１を操作レバー６に向けて付勢する。すなわち、付勢部材８は、外輪５１が第１摩擦プレート７から離れないように外輪５１を付勢している。なお、付勢部材８は、第２摩擦プレート１３を介して外輪５１を付勢している。第２摩擦プレート１３は、環状であって、ワンウェイクラッチ５の外輪５１と接触している。なお、第２摩擦プレート１３は、転動体５２と接触していない。
【００４９】
付勢部材８は、軸方向において、ワンウェイクラッチ５から離れる方向への移動が規制されている。具体的には、付勢部材８は、第１軸受部材１２ａによって支持されている。この第１軸受部材１２ａは、突出部２４の内周面に形成された段差部２４１によって、ワンウェイクラッチ５から離れる方向への移動が規制されている。
【００５０】
付勢部材８は、例えば皿バネである。付勢部材８の外周部が第２摩擦プレート１３を介してワンウェイクラッチ５の外輪５１を付勢する。また、付勢部材８の内周部が第１軸受部材１２ａの内輪に支持されている。
【００５１】
軸方向において、スプール軸４の一方の端面４ａと操作レバー６の円筒部６１の底面６１ａとの距離Ｌ１は、圧縮していない状態と最大圧縮した状態との間の付勢部材８の伸縮量Ｌ２よりも大きい（Ｌ１＞Ｌ２）。これによって、付勢部材８が完全に圧縮しても、スプール軸４の端面４ａが円筒部６１の底面６１ａに接触しない。
【００５２】
［ハンドル］
図２に示すように、ハンドル９は、スプール軸４を回転させるための部材であって、第１リール本体部２１に回転可能に装着されている。ハンドル９が回転すると、回転伝達機構１１を介してスプール軸４を回転させる。
【００５３】
［回転伝達機構］
回転伝達機構１１は、ハンドル９の回転をスプール軸４に伝達する機構である。回転伝達機構１１は、駆動軸１１ａ、駆動ギア１１ｂ、ピニオンギア１１ｃ、及びクラッチ機構１１ｄを有する。駆動軸１１ａは、ハンドル９と一体的に回転する。駆動ギア１１ｂは、駆動軸１１ａと一体的に回転する。ピニオンギア１１ｃは、駆動ギア１１ｂと噛み合う。ピニオンギア１１ｃは筒状であって、スプール軸４がピニオンギア１１ｃ内を貫通している。
【００５４】
クラッチ機構１１ｄは、ピニオンギア１１ｃの回転をスプール軸４に伝達したり、遮断したりする。具体的には、クラッチ機構１１ｄは、係合ピン１１ｅと係合凹部１１ｆとによって構成される。係合ピン１１ｅは、スプール軸４を径方向に貫通している。係合凹部１１ｆは、ピニオンギア１１ｃの一方の端部に形成された凹部である。係合ピン１１ｅが係合凹部１１ｆに係合することによって、ピニオンギア１１ｃの回転がスプール軸４に伝達される。一方、ピニオンギア１１ｃが係合ピン１１ｅから離れる方向に移動することによって係合ピン１１ｅと係合凹部１１ｆとの係合が解除されると、ピニオンギア１１ｃの回転がスプール軸４に伝達されない。
【００５５】
［動作］
次に、両軸受リール１００の動作について説明する。釣り糸をスプール３から繰り出すキャスティング時には、スプール軸４は糸繰り出し方向に回転する。このスプール軸４の糸繰り出し方向の回転は、ワンウェイクラッチ５の転動体５２を介して外輪５１に伝達され、外輪５１が回転する。外輪５１は、第１摩擦プレート７を介して、操作レバー６によって押圧されている。すなわち、外輪５１は操作レバー６によって制動されているため、外輪５１の回転速度が抑えられる。外輪５１とスプール軸４とは連動しているため、糸繰り出し時のスプール軸４の回転速度も抑えられ、バックラッシュが防止される。
【００５６】
また、操作レバー６を揺動させると、操作レバー６は軸方向に移動するため、外輪５１に対する操作レバー６の押圧力を調整することができる。すなわち、操作レバー６を揺動させることによって、スプール軸４に対する制動力を調整することができる。
【００５７】
一方、釣り糸を巻き取るとき、スプール軸４は糸巻き取り方向に回転する。転動体５２は、このスプール軸４の糸巻き取り方向の回転を外輪５１に伝達しない。すなわち、スプール軸４と外輪５１とは連動せず、操作レバー６による制動力がスプール軸４に作用しない。したがって、糸巻き取り時には、操作レバー６による回転抵抗がスプール軸４に生じず、スプール軸４はスムーズに回転することができる。
【００５８】
［変形例］
以上、本発明の一実施形態について説明したが、本発明は上記実施形態に限定されるものではなく、発明の要旨を逸脱しない範囲で種々の変更が可能である。
【００５９】
例えば、図７に示すように、操作レバー６の連結部６２３は、リール本体２側に凹んでいてもよい。このような形状とすることによって、親指が連結部６２３にフィットし、この結果、操作レバー６の操作性が向上する。
【００６０】
また、図８に示すように、操作レバー６の連結部６２３の径方向外側縁が、径方向内側に凹んでいてもよい。
【００６１】
また、上記実施形態では、レバー部６２が、第１延在部６２１、第２延在部６２２、及び連結部６２３を有していたが、レバー部６２の構成はこれに限定されない。例えば、図９に示すように、レバー部６２は、一枚の扁平状の板部材から構成されていてもよい。この場合、軽量化などの観点から、図１０に示すように、レバー部６２の中央に少なくとも１つの開口部６４が形成されていてもよい。また、レバー部６２は、開口部６４の代わりにリール本体２側に凹む凹部を有していてもよい。
【００６２】
また、図１１に示すように、レバー部６２は、径方向外側の端部が、径方向内側の端部よりも幅が小さいような形状であってもよい。具体的には、レバー部６２は、幅方向において先細りとなるような形状であってもよい。
【００６３】
また、図１２に示すように、ワンウェイクラッチ５は、内輪５３をさらに有していてもよい。内輪５３は、スプール軸４に取り付けられている。転動体５２は、外輪５１と内輪５３との間に配置される。
【００６４】
上記実施形態では、付勢部材８は、第１軸受部材１２ａによって軸方向に支持されていたが、特にこれに限定されない。例えば、付勢部材８は、突出部２４の内周面に形成された段差部によって支持されていてもよい。
【００６５】
上記実施形態では、ワンウェイクラッチ５は、第１リール本体部２１内に配置されているが、第２リール本体部２２内にワンウェイクラッチ５が配置されていてもよい。この場合、操作レバー６も第２リール本体部２２に揺動可能に取り付けられる。なお、操作レバー６は、第２リール本体部２２内に配置されてもよい。この場合、操作レバー６の一部が、第２リール本体部２２の外周面から露出させる。
【符号の説明】
【００６６】
２        ：リール本体
３        ：スプール
４        ：スプール軸
５        ：ワンウェイクラッチ
５１      ：外輪
５２      ：転動体
６        ：操作レバー
６１      ：円筒部
６２      ：レバー部
６２１    ：第１延在部
６２２    ：第２延在部
６２３    ：連結部
１００    ：両軸受リール
【図１】
2020054397.tif 000003
【図２】
2020054397.tif 000004
【図３】
2020054397.tif 000005
【図４】
2020054397.tif 000006
【図５】
2020054397.tif 000007
【図６】
2020054397.tif 000008
【図７】
2020054397.tif 000009
【図８】
2020054397.tif 000010
【図９】
2020054397.tif 000011
【図１０】
2020054397.tif 000012
【図１１】
2020054397.tif 000013
【図１２】
2020054397.tif 000014
【手続補正書】
【提出日】令和2年1月15日(2020.1.15)
【手続補正１】
【補正対象書類名】特許請求の範囲
【補正対象項目名】全文
【補正方法】変更
【補正の内容】
【特許請求の範囲】
【請求項１】
リール本体の側板間に回転可能に支持されて釣糸が巻回されるスプールと、
前記リール本体の一方の前記側板に揺動可能に支持された制動力調節用の操作レバーの揺動操作によって前記スプールと一体回転するスプール軸の糸繰り出し方向の回転に制動力を付与するキャスティングコントロール機構と、
を備える両軸受リールにおいて、
前記操作レバーは、その円筒部から突出して互いに幅方向に離間される複数の延在部を有することを特徴とする魚釣用リール。
【請求項２】
前記延在部は、その円筒部から２０ｍｍ〜４０ｍｍの長さで突出して互いに周方向に離間されている、
請求項１に記載の両軸受リール。
【請求項３】
両軸受リールのリール本体に揺動可能に支持されるスプールの糸繰り出し方向の回転に制動力を付与するために前記リール本体を構成する側板に回転自在に支持される制動力調節用の操作レバーであって、
その円筒部から突出して互いに幅方向に離間される複数の延在部を有することを特徴とする制動力調節用の操作レバー。
【請求項４】
前記延在部は、その円筒部から２０ｍｍ〜４０ｍｍの長さで突出して互いに周方向に離間されている、
請求項３に記載の制動力調節用の操作レバー。